(57)【特許請求の範囲】
【請求項１】
被照射対象物を挿入する挿入口及び該挿入口から挿入された前記被照射対象物を配置する配置室を形成した配置室形成部材と、前記配置室にパルス光を発する発光部と、を備え、前記配置室形成部材は、前記被照射対象物を載置する載置台を含み、該載置台は、波長３１５ｎｍ以上７１５ｎｍ以下のパルス光に対して全光線反射率が１０％以下の面であり鏡面光沢度が８０％以上の面である載置面を備えることを特徴とする樹脂硬化装置。
【請求項２】
前記載置面は、黒色の塗料を塗装したポリカーボネート樹脂又は黒色のＡＢＳ樹脂で成形されている請求項１に記載の樹脂硬化装置。
【発明の詳細な説明】
【技術分野】
【０００１】
本発明は、被照射対象物に光を照射する樹脂硬化装置に関する。
【背景技術】
【０００２】
従来から、手や足の指先の爪を装飾するために、ネイルチップやスカルプチュアなどの付け爪を自爪に貼り付けることが一般的に行われている。この付け爪には、ウレタンアクリル樹脂などを主成分とするジェルを利用して人工爪を形成するジェルネイルがある。ジェルは、光硬化樹脂の一種であり、紫外線領域の特定波長の光が照射されることで硬化して人工爪となる。このため、ジェルネイルでは、ジェルを硬化させるために、樹脂硬化装置としてのジェルネイル硬化装置が必要となる（例えば、特許文献１）。
【０００３】
この種のジェルネイル硬化装置は、手や足（以下、単に「手」と称する。）を挿入する挿入口及び該挿入口から挿入された手を配置する配置室を形成した配置室形成部材と、配置室にパルス光を発光する発光部と、を備える。配置室形成部材は、配置室を画定する内面上に手を載置する載置台を備える。
【０００４】
配置室は、挿入口を介して外部につながっている。このため、その配置室に手が配置された後、発光部がパルス光を発すると、載置台の載置面の色（例えば、白色）によっては、パルス光は、載置面で反射し、挿入口から外部に漏れることがある。このとき、漏れたパルス光が使用者の視界に入り、利用者が眩しさを感じることになる。
【０００５】
また、発光部の発光に伴って載置面が高温となり、載置面の周りの空気の温度が周期的に上昇することによる光音響効果によって騒音が発生する場合があり、静粛性が損なわれる。
【０００６】
このような眩しさや騒音は、使用者に不快感を与えるおそれがある。
【先行技術文献】
【特許文献】
【０００７】
【特許文献１】特開２０１３−２１２３２６号公報
【発明の概要】
【発明が解決しようとする課題】
【０００８】
そこで、本発明は、上記問題点に鑑み、使用者に不快感を与えにくい樹脂硬化装置を提供することを課題とする。
【課題を解決するための手段】
【０００９】
本発明に係る樹脂硬化装置は、被照射対象物を挿入する挿入口及び該挿入口から挿入された前記被照射対象物を配置する配置室を形成した配置室形成部材と、前記配置室にパルス光を発する発光部と、を備え、前記配置室形成部材は、前記被照射対象物を載置する載置台を含み、該載置台は、光沢を有する載置面であって、黒色系の色を有する載置面を備えることを特徴とする。
【００１０】
かかる構成によれば、発光部が配置室にパルス光を発し、そのパルス光が載置面に当たった際、載置面が黒色系の色であるため、載置面は、パルス光を吸収する。そのため、載置面から反射して、挿入口から漏れるパルス光の明度が低下する。従って、使用者に与える眩しさが低減される。
【００１１】
更に、光が載置面に当たっているとき、載置面は、光沢を有し、光沢を有する載置面の表面の形状は、平滑面であるため、載置面が無光沢である場合（凹凸を有する粗面）とを比べて、光沢を有する載置面の表面積は小さい。すなわち、載置面が粗面である場合の表面積よりも載置面が平滑面である場合の表面積の方が小さいため、載置面が平滑面であれば、載置面に吸収される光量が低減される。そのため、載置面の温度が上昇しにくくなると考えられる。そして、載置面に面した空気の温度が上昇しにくくなり、この空気が膨張しにくくなると考えられる。また、載置面上の各点における空気は、膨張と収縮を繰り返しており、各点における空気の領域のそれぞれが互いに重なり合って干渉し合っている。載置面が粗面であれば、その表面には凹凸があり、その表面上の各点において、各空気の領域がパルス光から受ける影響にばらつきが生じ、各点における空気の領域の膨張と収縮具合が変り、その空気の領域の互いの重なり具合のばらつきが大きくなると考えられる。載置面が平滑面であれば、その表面は平坦であり、各点における空気の領域は、載置面上に一様に整列して存在し、空気の領域の重なり具合にばらつきが生じにくいと考えられる。そのため、載置面が平滑面であれば、各点における空気の領域の膨張と収縮に調和が保たれて、パルス光により繰り返される空気の膨張と収縮の差が小さくなると考えらえる。よって、空気の振動が低減されて、空気の振動が人間の可聴域に達しにくくなり、騒音になりにくいと考えられる。よって、使用者は、眩しさや騒音を受けにくくなり、不快感を懐きにくくなる。
【００１２】
この場合、前記載置面は、波長３１５ｎｍ以上７１５ｎｍ以下のパルス光に対して全光線反射率が１０％以下の面であり、鏡面光沢度が８０％以上の面であることが好ましい。更に、前記載置面は、黒色の塗料を塗装したポリカーボネート樹脂又は黒色のＡＢＳ樹脂で成形されていることが好ましい。
【００１３】
かかる構成によれば、載置面が平滑面となるため、載置面が黒色系の色を有する面であっても、パルス光が当たった載置面の周りの空気が振動しにくく、騒音を起こしにくいと考えられる。よって、使用者は、眩しさや騒音を受けにくくなり、不快感を懐きにくくなる。
【発明の効果】
【００１４】
本発明によれば、使用者に不快感を与えにくい樹脂硬化装置を提供することができる。
【図面の簡単な説明】
【００１５】
【図１】本実施形態に係る樹脂硬化装置の斜視図
【図２】挿入口が設けられたカバーの外壁の正面側の壁面を取り除くと共に載置台を取り外した状態の樹脂硬化装置の斜視図
【図３】前記樹脂硬化装置の内部を説明するための樹脂硬化装置の概略縦断面図
【図４】異なる条件の試料毎に測定した全光線反射率及び照射した光の分光エネルギの分布を示す図
【発明を実施するための形態】
【００１６】
以下、本発明の一実施形態について、図１〜図４を参酌しつつ説明する。本実施形態に係る樹脂硬化装置１（以下、単に「装置１」とも称する。）は、指先の爪に塗布された光硬化樹脂にパルス光を照射して、光硬化樹脂を硬化させる装置である。樹脂硬化装置１は、図１〜図３に示すように、被照射対象物を挿入する挿入口２及び該挿入口２から挿入された被照射対象物を配置する配置室３を形成した配置室形成部材４と、配置室３にパルス光を発する発光部５と、を備える。被照射対象物は、少なくとも光硬化樹脂が塗布された領域を含む部位である。本実施形態に係る被照射対象物は、手の指先である（以下、被照射対象物のことを、単に、「指先」とも称する）。装置１には、更に、制御部６と、操作部７と、が設けられる。
【００１７】
配置室形成部材４は、挿入口２と、配置室３と、発光部５及び制御部６が備え付けられる光生成室８と、を形成する。配置室形成部材４は、略矩形の外観を有する。以下では、挿入口２が形成される配置室形成部材４の壁面を正面とし、図１におけるこの壁面の横方向を幅方向（並び方向）、この壁面の上下方向を高さ方向、装置１の奥行き方向を前後方向、とする。
【００１８】
配置室形成部材４は、指先（被照射対象物）を載置する載置台９を含む。具体的には、配置室形成部材４は、載置台９と、該載置台９に載置された指先を覆うカバー１０と、を備える。
【００１９】
載置台９は、幅及び前後方向に広がる板状の基部１１と、該基部１１に立設される一対の壁１２，１２と、を備える。
【００２０】
基部１１は、平面視、略矩形の板状の部位である。この基部１１は、カバー１０とともに配置室３を画定する表面上（内面上）に、被照射対象物を載置する載置面１３を有する。載置面１３は、発光部５の正面に配置された面である。載置面１３は、光沢を有する。また、載置面１３は、黒色系の色を有する。言い換えると、載置面１３は、波長３１５ｎｍ以上７１５ｎｍ以下のパルス光に対して、鏡面光沢度が８０％以上の面である。
【００２１】
具体的には、載置台９は、黒色のＡＢＳ樹脂で成形されており、この載置面１３は、黒色系の素材を加工した部材の面である。載置面１３の表面は、バフ研磨などで鏡面加工されている。
【００２２】
あるいは、載置台９はポリカーボネート樹脂で成形されており、この載置面１３は、黒色系の塗料を塗装した面である。この黒色形の塗料は、塗装後に鏡面仕上げとなるものである。
【００２３】
一対の壁１２，１２のそれぞれは、表面に当たった光を指先に反射するために、表面に反射面を有する。具体的には、一対の壁１２，１２のそれぞれは、表面に反射部材を備える。
【００２４】
載置台９は、カバー１０から取り外すことができるように取り付けられる。この装置１では、載置台９の着脱によって、手や足を配置する配置スペース（配置領域）の大きさを変更できる。即ち、本実施形態の装置１では、載置台９を取り外すことにより、配置スペースを大きくし、載置台９と取り付けることにより、配置スペースを小さくすることができる。
【００２５】
カバー１０は、外部に面する外壁１４と、該外壁１４とともに光生成室８を画定する隔壁１５と、を備える。カバー１０は、載置台９とともに配置室３を画定する。
【００２６】
外壁１４には、正面側の壁面に挿入口２が形成される。
【００２７】
隔壁１５は、幅方向に間隔を空けて対向する一対の側壁１６，１６と、該一対の側壁１６，１６の上端同士を接続する上方壁１７と、一対の側壁１６，１６及び上方壁１７の後方側の端部同士を接続する後方壁１８と、を備える。
【００２８】
一対の側壁１６，１６のそれぞれは、表面に当たった光を指先に反射するために、表面に反射面を有する。具体的には、一対の側壁１６，１６のそれぞれは、表面に反射部材を備える。上方壁１７には、発光部５が発するパルス光を通過させる開口が形成される。
【００２９】
このため、配置室３は、カバー１０（の外壁１４の正面側の壁面）と隔壁１５と載置台９とにより画定される。そして、カバー１０の外壁１４の正面側の壁面には、挿入口２が設けられる。挿入口２には、被照射対象物としての指先が挿入される他、載置台９が出し入れされる。挿入口２は、載置台９が手よりも大きいため、載置台９を通過させることができる大きさに形成される。そして、挿入口２を画定する内周面と手との間には、隙間が形成される。
【００３０】
光生成室８は、配置室形成部材４内における配置室３の上方及び後方に設けられる。光生成室８には、配置室３の上方の上方壁１７の開口から該配置室３内にパルス光を照射できるように、光生成室８内における配置室３の上方壁１７に面する空間（配置室３の上方の空間）に発光部５を配置する。また、制御部６が光生成室８内における配置室３の後方壁１８に面する空間（配置室３の後方の空間）に配置される。
【００３１】
発光部５は、フラッシュランプ１９と、反射傘２０と、波長制限フィルタ２１と、保護ガラス２２と、を備える。
【００３２】
フラッシュランプ１９は、紫外線領域から赤外線領域までの広い波長域の光を発光するため、複数種の光硬化樹脂（例えば、ＵＶランプ用の光硬化樹脂、ＵＶＬＥＤ用の光硬化樹脂等）を硬化することができる。具体的には、このフラッシュランプ１９が発する光の波長域には、各光硬化樹脂（例えば、ＵＶランプ用の光硬化樹脂、ＵＶＬＥＤ用の光硬化樹脂等）が硬化する各波長が含まれている。
【００３３】
このフラッシュランプ１９は、一方向に延びる所謂線状光源である。フラッシュランプ１９は、長尺方向を装置１の前後方向と一致するように光生成室８内に一対配置されている。本実施形態のフラッシュランプ１９は、キセノン放電管（閃光放電管）である。尚、フラッシュランプ１９は、紫外線領域の光としては、ＵＶ―Ａ及びＵＶ−Ｂを発光する。ここで、ＵＶ−Ａとは、波長域が３２０ｎｍ（又は３１５ｎｍ）〜４００ｎｍの紫外線であり、ＵＶ−Ｂとは、波長域が２８０ｎｍ〜３２０ｎｍ（又は３１５ｎｍ）の紫外線である。
【００３４】
反射傘２０は、フラッシュランプ１９が発した光を配置室３内の指先に向けて反射する。具体的に、反射傘２０は、フラッシュランプ１９に沿ってその長尺方向（前後方向）に延び、且つ、前記長尺方向の各位置における該長尺方向と直交する断面形状が光軸を中心線とする放物線状となる形態を有する。
【００３５】
波長制限フィルタ２１は、反射傘２０の開口部を塞ぐように配置される。波長制限フィルタ２１は、該波長制限フィルタ２１に入射した光（フラッシュランプ１９が発した光）を濾波し、ＵＶ−Ａ及び可視光領域の光を選択的に放出する。即ち、波長制限フィルタ２１は、フラッシュランプ１９が発する光のうち、光硬化樹脂の硬化に寄与しない赤外線領域の光及び人体に対する影響の大きいＵＶ−Ｂを遮断する一方、光硬化樹脂の硬化に寄与するＵＶ−Ａ及び人体に対する影響の小さい可視光領域の光を透過する。
【００３６】
保護ガラス２２は、光を透過するが、配置室３内に挿入された被照射対象物や、配置室３内のゴミや埃等が発光部５の内部に進入するのを防ぐ。
【００３７】
制御部６は、操作部７からの入力に基づいて発光部５による光の照射を制御する。本実施形態の制御部６は、例えば、発光部５からの光における波長域の光の総照射エネルギ、１秒当たりの発光回数、発光１回当たりの波長域の光の照射エネルギ、及び、照射時間等を制御する。
【００３８】
操作部７は、制御部６への入力及び表示等を行う。この操作部７は、各種のスイッチや、表示ランプ等を備える。
【００３９】
以上の装置１では、配置室形成部材４の挿入口２から、各爪にジェルネイル等の光硬化樹脂を塗布した状態の手の指先を挿入する。このとき、手の爪に塗布された光硬化樹脂を硬化させるときには、載置台９を配置室形成部材４に取り付けた状態で手の指先を配置室３の挿入口２から配置室３内に挿入し、載置台９の載置面１３上に載置する。
【００４０】
そして、操作部７のスイッチ等を操作し、発光部５を発光させる。具体的には、装置１では、フラッシュランプ１９が発光し、反射傘２０により、配置室３に配置された指先の爪に向かってパルス光を照射する。このパルス光は、波長制限フィルタ２１を透過した光であるため、赤外線領域の光及びＵＶ−Ｂを含まず、光硬化樹脂の硬化に寄与するＵＶ−Ａ及び人体に対する影響の小さい可視光領域の光である。
【００４１】
次に、異なる条件の試料毎に測定した騒音測定の結果を、図４を参照しつつ説明する。測定した試料は、七種類である。第一試料は、ポリカーボネート樹脂（ＰＣ板）を黒色に塗装したものであり、光沢を有さない。第二試料は、第一試料を塗装する前のものであり、白色をしている。第三試料は、反射シート用材料（メタルミー（登録商標）７５ＴＳ）にて形成されたもので、高い光沢を有する。第四試料は、黒色のポリカーボネート樹脂（ＰＣ）である。第四試料は、光沢仕上げされており、光沢を有する。第五試料は、アルミテープであり、光沢を有する。第六試料は、黒色のＡＢＳ樹脂（厚さ３ｍｍ）である。第六試料は、成形時に鏡面仕上げされており、光沢を有する。第七試料は、黒色に塗装したＡＢＳ樹脂（厚さ３ｍｍ）であり、光沢を有さない。
【００４２】
各試料の鏡面光沢度を表１に示す。鏡面光沢度は、光沢計（堀場製作所製のグロスチェッカーＩＧ−３３１）を用いて測定した。鏡面光沢度は、ＪＩＳ  Ｚ８７４１「鏡面光沢度‐測定方法」に基づいて測定した。入射角は、一般測定用の６０°である。但し、鏡面光沢度の測定結果が１００より高い第三試料、第五試料については、入射角を高光沢用の２０°でも計測したが、鏡面光沢度の測定結果（ＯＶＥＲ）は変らなかった。
【００４３】
【表１】
0005866536.tif 000002
【００４４】
表１に示す各試料の鏡面光沢度よりわかるように、第二〜第六試料については、鏡面光沢度が８０％以上あり、第一試料及び第七試料については、鏡面光沢度が８０％以下であった。
【００４５】
各試料の全光線反射率を図４に示す。全光線反射率は、分光光度計（日立ハイテクノロジーズ製のＵ−４０００）を用いて測定した。なお、各試料の反射率は、第一試料から順に、符号ａ（第一試料），ｂ（第二試料），ｃ（第三試料），ｄ（第四試料），ｅ（第五試料），ｆ（第六試料），ｇ（第七試料）で示す。
【００４６】
また、波長３１５ｎｍ以上７５０ｎｍ以下における各試料の全光線反射率は、表２に示す。
【００４７】
【表２】
0005866536.tif 000003
【００４８】
表２に示す各試料の反射率よりわかるように、第一，第四，第六、第七試料については、反射率が１０％以下となり、低い。第二，第三，第五試料については、反射率が１０％以上あり、使用者が眩しさを感じる程度に光が漏れるおそれが高い。
【００４９】
上記条件の各試料の騒音測定結果を表３に示す。騒音測定に用いた装置は、反射傘内にキセノン放電管を一灯配置した発光部５と、透過光が３１５ｎｍ〜７５０ｎｍ程度の波長になる波長制限フィルタ２１とを備えている。発光部５は、各試料の真上からパルス光を照射する。発光部５の発光条件について、発光周波数を５０Ｈｚに設定し、閃光時間を１１０μｓに設定した。発光部５は、５秒照射した後、２秒休止し（冷却）、この繰り返しを８セット行った（５６秒）。そして、照射時間内における照射開始１５秒後から２５秒後までの間の１０秒間を測定し、その最大値を記録した。なお、騒音測定で用いた測定器は、ＲＩＯＮ製のＳＡ−２９である。外からの雑音の影響を受けないように、遮音された暗箱内に装置を設置して、測定した。また、各試料に照射した光の分光エネルギの分布は、図４に符号ｈで示す。この光は、波長制限フィルタ２１である色ガラスと保護ガラス２２を透過した光であり、大塚電子製のＭＣＰＤ３０００で測定した。
【００５０】
【表３】
0005866536.tif 000004
【００５１】
表３に示す各試料の騒音測定結果よりわかるように、同じ材質及び形状で、反射率が同程度のものであっても、鏡面光沢度が高い試料は、鏡面光沢度が低い試料よりも騒音値が下がる傾向がある。
【００５２】
例えば、同じポリカーボネート樹脂製の板を黒色に塗装している第一試料と第二試料とを比べると、表２及び表３の結果より、鏡面光沢度の低い第一試料の騒音値は、７８．３ｄＢであったのに対し、鏡面光沢度の高い第二試料の騒音値は、７１．４ｄＢであり、第二試料の騒音値よりも、６．９ｄＢ低い。人間の官能的にも、第一試料から発生する音（騒音）は、第二試料から発生する音（騒音）よりも低く、静かであった。
【００５３】
また、同じ黒色のＡＢＳ樹脂の第六試料と第七試料とを比べると、表２，表３の結果より、鏡面光沢度の低い第七試料の騒音値は、８１．３ｄＢであったのに対し、鏡面光沢度の高い第六試料の騒音値は、７５．１ｄＢであり、第七試料の騒音値よりも、６．２ｄＢ低い。人間の官能的にも、第六試料から発生する音（騒音）は、第七試料から発生する音（騒音）よりも低く、静かであった。
【００５４】
このように、発光部５が配置室３にパルス光を発し、そのパルス光が載置面１３に当たった際、載置面１３が黒色系の色であるため、載置面１３は、パルス光を吸収する。そのため、載置面１３から反射して、挿入口２から漏れるパルス光の明度が低下する。従って、使用者に与える眩しさが低減される。
【００５５】
しかし、パルス光が黒色系の色の載置面１３に照射された際、その載置面１３が粗面であった場合、騒音が発生する。発光部５が発光するのはパルス光であるため、光が載置面１３に断続的に当たる。光が載置面１３に当たっているとき、載置面１３が黒色系の色であるため、パルス光は、載置面１３で吸収されて、載置面１３の温度が上昇する。そして、載置面１３に面した空気の温度が上昇し、この空気が膨張する。一方、光が載置面１３に当たっていないとき、温度の上昇した載置面１３の温度が低下する。そして、載置面１３に面した空気が冷めて、この空気の温度が低下し、この空気が収縮する。このように、空気がパルス光の発光周期で膨張と収縮を繰り返すことにより、空気に振動が生じ、光音響効果による音響波が発生する。空気の振動が人間の可聴域に達すれば、この音響波が騒音になる。
【００５６】
発明者は、騒音が上記の原因により発生すると考えたところ、載置面１３を本実施形態のような構成にすることにより、この騒音が下記のような過程を経て低減すると考え、上記測定結果からわかるように、騒音が低減することを確認した。
【００５７】
光が載置面１３に当たっているとき、載置面１３は、光沢を有し、光沢を有する載置面１３の表面の（微視的な）形状は、凹凸の少ない平滑面であるため、載置面１３が無光沢である場合（載置面１３の表面に凹凸を有する粗面）とを比べて、光沢を有する載置面１３の表面積は小さい。すなわち、載置面１３が粗面である場合の表面積よりも載置面１３が平滑面である場合の表面積の方が小さいため、載置面１３が平滑面であれば、載置面１３に吸収される光量が低減される。そのため、載置面１３の温度が上昇しにくくなる。そして、載置面１３に面した空気の温度が上昇しにくくなり、この空気が膨張しにくくなる。
【００５８】
また、載置面１３上の各点における空気は、膨張と収縮を繰り返しており、各点における空気の領域のそれぞれが互いに重なり合って干渉し合っている。載置面１３が粗面であれば、その表面には凹凸があり、その表面上の各点において、各空気の領域がパルス光から受ける影響にばらつきが生じ、各点における空気の領域の膨張と収縮具合が変り、その空気の領域の互いの重なり具合のばらつきが大きくなる。載置面１３が平滑面であれば、その表面は平坦であり、各点における空気の領域は、載置面１３上に一様に整列して存在し、空気の領域の重なり具合にばらつきが生じにくい。そのため、載置面１３が平滑面であれば、各点における空気の領域の膨張と収縮に調和が保たれて、パルス光により繰り返される空気の膨張と収縮の差が小さくなる。よって、空気の振動が低減されて、空気の振動が人間の可聴域に達しにくくなり、騒音になりにくい。よって、使用者は、眩しさや騒音を受けにくくなり、不快感を懐きにくくなる。
【００５９】
また、載置面１３は、黒色の塗料を塗装したポリカーボネート樹脂又は黒色のＡＢＳ樹脂で成形されている。更に、載置面１３は、波長３１５ｎｍ以上７１５ｎｍ以下のパルス光に対して全光線反射率が１０％以下の面であり、鏡面光沢度が８０％以上の面である。このため、載置面１３が（微視的には）平滑面となるため、載置面１３が黒色系の色を有する面であっても、パルス光が当たった載置面１３の周りの空気が振動しにくく、騒音を起こしにくいと考える。よって、使用者は、眩しさや騒音を受けにくくなり、不快感を懐きにくくなる。
【００６０】
尚、本発明の樹脂硬化装置は、上記実施形態に限定されるものではなく、本発明の要旨を逸脱しない範囲内において種々変更を加え得ることは勿論である。
【００６１】
上記実施形態の樹脂硬化装置１では、配置室３は、被照射対象物として人間の手の指先にパルス光を照射するが、この構成に限定されない。配置室は、人間の足の指先にパルス光を照射してもよい。また、配置室は、人間以外の動物の手や足の指先にパルス光を照射してもよい。つまり、被照射対象物は、人間や動物であってもよい。
【００６２】
また、発光部５が有するフラッシュランプ１９の具体的な数は限定されない。上記実施形態の樹脂硬化装置１は、一対のフラッシュランプ１９，１９を備えるが、一つ以上のフラッシュランプ１９を備えてもよい。
【００６３】
上記実施形態の樹脂硬化装置１では、配置室形成部材４が載置面１３を有する載置台９がカバー１０から着脱自在に構成されていたが、この構成に限定されない。載置台は、カバー１０に固定された底部であってもよく、つまり、配置室形成部材が筐体であってもよい。
【００６４】
上記実施形態の樹脂硬化装置１では、載置台９の基部１１の載置面１３のみが黒色系の色を有するとともに、光沢を有していたが、この構成に限定されない。例えば、載置台９の壁１２や、隔壁１５の側壁１６，上方壁１７又は後方壁１８などが黒色系の色を有するとともに、光沢を有していてもよい。
【産業上の利用可能性】
【００６５】
本発明の樹脂硬化装置は、被照射対象物を挿入する挿入口及び該挿入口から挿入された前記被照射対象物を配置する配置室を形成した配置室形成部材と、前記配置室にパルス光を発する発光部と、を備え、前記配置室形成部材は、前記被照射対象物を載置する載置台を含み、該載置台は、光沢を有する載置面であって、黒色系の色を有する載置面を備えることによって、使用者に不快感を与えないように、被照射対象物に光を照射する用途に適用することができる。
【符号の説明】
【００６６】
１    樹脂硬化装置（装置）
２    挿入口
３    配置室
４    配置室形成部材
５    発光部
９    載置台
１３  載置面
【図１】
0005866536.tif 000005
【図２】
0005866536.tif 000006
【図３】
0005866536.tif 000007
【図４】
0005866536.tif 000008